(57)【要約】  【課題】  色信号のオーバフローを防止する回路において、簡単な回路構成で出力色信号による変色を防止し、かつ視覚上の違和感を軽減する。  【解決手段】  オーバフロー処理回路において、３原色の色信号入力の内最大レベルの色信号の色を示す信号を出力する比較部１２０と、前記比較部の出力に基づき前記３原色の色信号入力の内最大レベルの色信号を選択して出力する選択部１３０と、各色信号のレベルが所定の上限値を越えないように色信号のレベルを低減するために入力色信号に乗算すべき乗数を色信号入力の各入力レベルに対応して記憶するルックアップテーブル１４０と、各色毎に設けられ、前記３原色の色信号入力の各々に、最大レベルの色信号に対応して前記ルックアップテーブルから得られた乗数を乗算して各色の色信号出力を生成する乗算部１６１，１６３，１６５とを設ける。  【選択図】      図１
2007019969.tif 000002
【特許請求の範囲】
【請求項１】
３原色の色信号入力を受けてオーバフローを防止した色信号出力を生成するオーバフロー処理回路であって、
前記３原色の色信号入力の内最大レベルを有する色信号の色を示す信号を出力する比較部と、
前記比較部の出力にもとづき前記３原色の色信号入力の内の最大レベルを有する色信号を選択して出力する選択部と、
各色信号のレベルが所定の上限値を超えないように色信号のレベルを低減するために入力色信号に乗算すべき乗数を色信号入力の各入力レベルに対応して記憶するルックアップテーブルと、
各色毎に設けられ、前記３原色の色信号入力の各々に、最大レベルの色信号に対応して前記ルックアップテーブルから得られた乗数を乗算して各色の色信号出力を生成する乗算部と、
を具備することを特徴とするオーバフロー処理回路。
【請求項２】
さらに、前記ルックアップテーブルに記憶された乗数は、前記上限値以内のレベルの色信号入力に対し前記色信号入力と前記色信号出力との間で所定のニー特性およびガンマ特性の内の少なくとも１つをも与えるよう決定されていることを特徴とする請求項１に記載のオーバフロー処理回路。
【請求項３】
さらに、各色の前記色信号入力を遅延させて対応する色の前記乗算部に入力するための遅延部を具備することを特徴とする請求項１に記載のオーバフロー処理回路。
【請求項４】
３原色の色信号入力を受けてオーバフローを防止した色信号出力を生成するオーバフロー処理回路であって、
前記３原色の色信号入力の内最大レベルを有する色信号の色を示す信号を出力する比較部と、
各色毎に設けられ、各色信号のレベルが所定の上限値を超えないように色信号のレベルを低減するために入力色信号に乗算すべき乗数を色信号入力の各入力レベルに対応して記憶するルックアップテーブルと、
前記比較部の出力にもとづき前記３原色の色信号入力の内の最大レベルを有する色信号に対応する乗数を選択して出力する選択部と、
各色毎に設けられ、各色のルックアップテーブルから得られた乗数出力と、前記選択部から得られた乗数出力とを合成する合成部と、
各色毎に設けられ、前記３原色の色信号入力の各々に、前記合成部から出力された乗数を乗算して各色の色信号出力を生成する乗算部と、
を具備することを特徴とするオーバフロー処理回路。
【請求項５】
前記合成部は各色のルックアップテーブルから得られた乗数出力と、前記選択部から得られた乗数出力とを所定の重みをつけて加算することを特徴とする請求項４に記載のオーバフロー処理回路。
【請求項６】
さらに、各色の前記色信号入力を遅延させて対応する色の前記乗算部に入力するための遅延部を具備することを特徴とする請求項４に記載のオーバフロー処理回路。
【請求項７】
さらに、前記ルックアップテーブルに記憶された乗数は、前記上限値以内のレベルの色信号入力に対し前記色信号入力と前記色信号出力との間で所定のニー特性およびガンマ特性の内の少なくとも１つをも与えるよう決定されていることを特徴とする請求項４に記載のオーバフロー処理回路。
【発明の詳細な説明】
【技術分野】
【０００１】
本発明は、オーバフロー処理回路に関し、特に色信号入力を受けて画像処理や画像表示を行なう装置、例えば画像ディスプレイあるいは電子内視鏡装置の信号処理ユニットなど、において、オーバフロー処理後の信号の変色を防止しあるいは軽減する技術に関する。
【背景技術】
【０００２】
例えば画像表示装置あるいは電子内視鏡装置の信号処理ユニットなどにおいては、入力された３原色の色信号に対し所定の画像処理を行なった後の信号値がオーバフローを発生する場合には、このオーバフローを除去して以後の回路に供給する必要がある。従来、このオーバフローの除去は、例えば画像処理を行なった後の色信号の信号値が所定の上限値以上になると該色信号に代えて前記上限値を選択出力することによって行なわれていた。
【０００３】
図７は、このようなオーバフロー処理を行なうための従来のオーバフロー処理回路の一例を示す。同図の回路は、３原色の色信号入力、すなわち赤信号入力、緑信号入力および青信号入力を受けて、オーバフローのない３原色の色信号出力、すなわち赤信号出力、緑信号出力および青信号出力を生成するものである。
【０００４】
なお、図７において、それぞれ赤信号入力７１１、緑信号入力７１３および青信号入力７１５として示されたブロックは入力される各色信号を示すと共に各色信号の入力端子をも示しているものとする。また、同様に、赤信号出力７４１、緑信号出力７４３および青信号出力７４５と表示されたブロックは、出力される各色信号を示すと共に各色信号の出力端子をも示しているものとする。
【０００５】
図７のオーバフロー処理回路は、赤、緑および青色の色信号入力に対してオーバフロー処理ブロック７２１、７２３および７２５が設けられ、これらのオーバフロー処理ブロックを含んでオーバフロー処理部７２０が構成されている。
【０００６】
例えば赤信号入力７１１に対しては、所定の上限値を示す信号を発生する上限値発生部７２１１、上限値信号と赤信号入力とを比較する比較部７２１３、そして、比較部７２１３の出力に基づき上限値または赤信号入力のいずれかを選択する選択部７２１５を備えている。他の色のオーバフロー処理ブロック７２３および７２５も同様の構成を有する。
【０００７】
また、オーバフロー処理部７２０の各色信号の出力に設けられたルックアップテーブル（ＬＵＴ）７３１，７３３および７３５は、後に説明するように、各色信号のニー特性および／またはガンマ特性などの補正を行なうために設けられている。
【０００８】
図７の回路においては、赤信号入力端子７１１、緑信号入力端子７１３および青信号入力端子７１５から、それぞれ赤色、緑色および青色の色信号入力がオーバフロー処理部７２０のオーバフロー処理ブロック７２１，７２３および７２５に入力される。そして、各色のオーバフロー処理ブロックにおいてオーバフロー処理が行なわれる。例えば、赤色の色信号に対するオーバフロー処理ブロック７２１においては、入力された赤信号入力が、比較部７２１３において上限値発生部７２１１から与えられる所定の上限値を示す信号と比較される。そして、赤信号入力のレベルが前記上限値以上であれば、比較部７２１３から例えば高レベルの比較結果信号が出力され選択部７２１５に加えられる。選択部７２１５は、この高レベルの比較結果信号に応じて上限値発生部７２１１からの上限値を示す信号を出力しＬＵＴ７３１に供給する。
【０００９】
これに対し、赤信号入力のレベルが前記上限値よりも低ければ、比較部７２１３は例えば低レベルの比較結果信号を出力し選択部７２１５に供給する。選択部７２１５は、この低レベルの比較結果信号に応じて赤信号入力端子７１１からの赤色の色信号を出力し、ＬＵＴ７３１に供給する。
【００１０】
他の色のオーバフロー処理ブロック７２３および７２５においても、同様の処理が行なわれ、それぞれ、緑信号入力のレベルが所定の上限値以上になるとその上限値を出力し、緑信号入力が該上限値よりも低いレベルであれば、該緑信号入力を出力する。青信号入力に対するオーバフロー処理ブロック７２５についても同様の処理が行なわれる。
【００１１】
これによって、各色信号入力のレベルが上限値以上になれば、該上限値が出力されるため、各色信号出力としてはオーバフローが抑制された信号が出力されることになる。
【００１２】
なお、各色のオーバフロー処理ブロック７２１，７２３および７２５の出力に接続されているルックアップテーブル（ＬＵＴ）７３１，７３３および７３５は、それぞれ入力信号値または該入力信号値に対応する値をアドレスとして該入力信号値に対応する出力信号値の値を記憶するものである。したがって、各入力信号値に対する出力信号値の値を適切に選択することにより、例えば入力信号と出力信号との間にガンマ特性などの補正特性を持たせることができる。これによって、ガンマ特性の補正を行なうことが可能になる。また、各ＬＵＴ７３１，７３３および７３５は、各色信号に対して所定のニー特性（肩特性）を与えるよう記憶データを構成することができ、これによってニー特性の補正を行なうことができる。また、ニー特性およびガンマ特性の双方の補正を同時に行なうこともできる。
【発明の開示】
【発明が解決しようとする課題】
【００１３】
上記従来例においては、３原色の色信号の内１色しか色信号がない場合や、３原色の色信号のレベルがほぼ同じ値である場合や、１色の色信号のレベルが大きく他の色信号のレベルが非常に小さい場合などには、出力色信号で表示される画像の変色は無視し得る程度のものとなる。しかしながら、図７の構成では、３原色の各色信号毎に独立したオーバフロー処理ブロックを有しているため、入力色信号の条件によっては変色を生じる場合があった。例えば、図８に示されるように、３原色の内の１色、例えば赤色、の入力レベルが大きく、その他の色が、例えば、赤信号入力の２／３程度の割合の大きさである場合などに、例えば色信号入力が大きなレベルへと増大してゆく場合に、赤信号入力が上限値に達した時から変色が生じる。すなわち、赤信号入力が上限値に達すると、赤信号入力は以後上限値に抑えられる。しかしながら、他の緑信号入力および青信号入力は同図（ｂ）に示されるように、依然として増大し続ける。このため、各色信号のバランスが崩れ、変色が生じる。
【００１４】
このような不都合を軽減するため、従来、画像処理装置などに入る全ての色の色信号のレベルをオーバフローを生じない程度に低くしたり、画像処理装置内で１画面分の信号を読み込んで全ての色の色信号のレベルをオーバフローを生じない程度まで下げたり、あるいは各色信号の上限値付近で色信号の入力対出力値の傾きを変化させたりすることが行なわれている。
【００１５】
例えば、図９（ａ）に示されるように、色信号入力、例えば赤信号入力、のレベルがＴ１より高くなると色信号の利得を低下させ、かつ入力レベルがＴ２以後は上限値に置き換えるなどの処理が行なわれている。この場合、同図（ｂ）に示されるように、他の色の信号、例えば緑信号入力および青信号入力、は赤信号入力よりもレベルが低いものとすると、赤信号入力がレベルＴ１に達しても、かつＴ２に達してもこれらの緑および青の信号入力は増加している。したがって、各色信号の割合は、図８の場合と比較して急激な変動が抑えられ、変色が軽減する。
【００１６】
しかしながら、図９の方法では、色信号の入力レベルに応じて出力色信号のレベルを制御する必要があり、回路が複雑になる。また、図９の方法では、赤色信号が上限値になる前から既に多少の変色を生じるという不都合があった。
【００１７】
したがって、本発明の目的は、このような従来技術における問題点に鑑み、入力色信号が上限値に達するまでは変色を生じることがなく、また上限値を越えても変色を生じないかあるいは軽減することができるようにし、視覚的に変色が目立たないオーバフロー処理回路を提供することにある。
【課題を解決するための手段】
【００１８】
本発明の一態様では、３原色の色信号入力を受けてオーバフローを防止した色信号出力を生成するオーバフロー処理回路が提供され、該オーバフロー処理回路は、前記３原色の色信号入力の内最大レベルを有する色信号の色を示す信号を出力する比較部と、前記比較部の出力にもとづき前記３原色の色信号入力の内の最大レベルを有する色信号を選択して出力する選択部と、各色信号のレベルが所定の上限値を超えないように色信号のレベルを低減するために入力色信号に乗算すべき乗数を色信号入力の各入力レベルに対応して記憶するルックアップテーブルと、各色毎に設けられ、前記３原色の色信号入力の各々に、最大レベルの色信号に対応して前記ルックアップテーブルから得られた乗数を乗算して各色の色信号出力を生成する乗算部と、を具備することを特徴とする。
【００１９】
さらに、前記ルックアップテーブルに記憶された乗数は、前記上限値以内のレベルの色信号入力に対し前記色信号入力と前記色信号出力との間で所定のニー特性およびガンマ特性の内の少なくとも１つをも与えるよう決定することもできる。
【００２０】
また、各色の前記色信号入力を遅延させて対応する色の前記乗算部に入力するための遅延部を具備すると好都合である。
【００２１】
本発明の別の態様では、３原色の色信号入力を受けてオーバフローを防止した色信号出力を生成するオーバフロー処理回路が提供され、該オーバフロー処理回路は、前記３原色の色信号入力の内最大レベルを有する色信号の色を示す信号を出力する比較部と、各色毎に設けられ、各色信号のレベルが所定の上限値を超えないように色信号のレベルを低減するために入力色信号に乗算すべき乗数を色信号入力の各入力レベルに対応して記憶するルックアップテーブルと、前記比較部の出力にもとづき前記３原色の色信号入力の内の最大レベルを有する色信号に対応する乗数を選択して出力する選択部と、各色毎に設けられ、各色のルックアップテーブルから得られた乗数出力と、前記選択部から得られた乗数出力とを合成する合成部と、各色毎に設けられ、前記３原色の色信号入力の各々に、前記合成部から出力された乗数を乗算して各色の色信号出力を生成する乗算部と、を具備することを特徴とする。
【００２２】
前記合成部は各色のルックアップテーブルから得られた乗数出力と、前記選択部から得られた乗数出力とを所定の重みをつけて加算するよう構成することができる。
【００２３】
また、各色の前記色信号入力を遅延させて対応する色の前記乗算部に入力するための遅延部を具備すると好都合である。
【００２４】
さらに、前記ルックアップテーブルに記憶された乗数は、前記上限値以内のレベルの色信号入力に対し前記色信号入力と前記色信号出力との間で所定のニー特性およびガンマ特性の内の少なくとも１つをも与えるよう決定することもできる。
【発明の効果】
【００２５】
本発明によれば、３原色の内最大の信号値を有する色を選択し、最大値の色に対して求められた乗数を全ての色の信号に対して乗算することにより、オーバフロー処理によって変色が生じることを的確に防止できる。また、オーバフロー処理を行なう場合にデジタル演算による演算誤差を吸収することができ、オーバフロー処理された色信号により画像表示を行なった場合にも視覚上で違和感を生じることが防止できる。
【発明を実施するための最良の形態】
【００２６】
以下、図面を参照して本発明の好ましい実施形態につき説明する。図１は、本発明の一実施形態に係わるオーバフロー処理回路の概略の構成を示す。
図１に示されるオーバフロー処理回路は、比較部１２０、選択部１３０、ルックアップテーブル（ＬＵＴ）１４０、遅延部１５１，１５３，１５５、乗算器１６１，１６３，１６５などによって構成される。また、参照数字１１１，１１３，１１５は、それぞれ、赤色、緑色および青色の入力信号を示し、かつこれらの入力信号が印加される各色の入力端子をも示しているものとする。同様に、参照数字１７１，１７３，１７５は、それぞれ、赤色、緑色および青色の出力色信号を示しており、かつこれら各色の信号出力が提供される出力端子をも示しているものとする。なお、図１のオーバフロー処理回路においては、各色信号はデジタル信号でありデジタル処理によってオーバフローを防止するものと想定しているが、各色信号をアナログ信号としアナログ処理が行なわれるよう構成できることは当業者に明らかである。
【００２７】
比較部１２０は、３原色の色信号入力を受けてそれらの信号の大きさを比較し、どの色の信号が最大であるかを示す信号Ｃｍａｘを出力するものである。
【００２８】
選択部１３０は、比較部１２０から供給される信号Ｃｍａｘに基づき、３原色の色信号入力の内、最大値の色信号入力をルックアップテーブル１４０に供給するものである。
【００２９】
ルックアップテーブル１４０は、色信号のレベル値に対応して該色信号のレベルが所定の上限値を越えないように色信号のレベルを低減するために入力色信号に乗算すべき乗数を記憶するものである。したがって、ルックアップテーブル１４０の出力は乗数（ｍ）である。例えば、上限値のレベルをＡとすると、１．２５Ａのレベルを有する入力色信号に対応して０．８の乗数（ｍ）が記憶される。
【００３０】
遅延部１５１，１５３，１５５は、それぞれ、赤信号入力、緑信号入力および青信号入力を所定時間遅延させて、ルックアップテーブル１４０におけるメモリアクセスなどによる信号の遅れを補償し、各乗算器１６１，１６３，１６５において乗数と被乗数とのタイミングを合わせるためのものである。
【００３１】
各乗算器１６１，１６３，１６５は、それぞれ赤信号入力、緑信号入力および青信号入力に対しルックアップテーブル１４０から供給される共通の乗数（ｍ）で乗算するものである。
【００３２】
図１のオーバフロー処理回路においては、比較部１２０において、入力された３原色の色信号の内最大値を有するものが判定され、最大値の色を示す信号Ｃｍａｘが出力され選択部１３０に供給される。選択部１３０は、各色の色信号入力の内、前記信号Ｃｍａｘで示される色の信号を出力し、ルックアップテーブル１４０に供給する。
【００３３】
ルックアップテーブル１４０においては、入力された色信号のレベルに応じた乗数（ｍ）が出力される。すなわち、ルックアップテーブル１４０は、色信号入力の信号値または該信号値に対応する値をアドレスとして該信号値に対応する乗数（ｍ）を記憶している。この乗数（ｍ）は、入力色信号のレベルが所定の最大値を越えた場合には、その入力色信号に乗数（ｍ）を乗算した値が前記所定の最大値に抑えられるように選択される。
【００３４】
したがって、例えば、赤信号入力が最大の信号値を有していれば、その赤信号入力に対応してルックアップテーブル１４０から読み出された乗数（ｍ）が、乗算器１６１において、該赤信号入力に乗算される。これによって、赤信号出力は所定の最大値以下のレベルに抑えられる。この場合、他の色の信号、例えば、緑信号入力および青信号入力は赤信号入力よりもレベルが低いものであっても、各乗算器１６３および１６５において、前記赤信号入力に対して定められた乗数（ｍ）が乗算される。これによって、緑信号出力および青信号出力も赤信号出力と同じ割合で信号値が低減される。したがって、出力色信号の各色の比率は入力色信号と同じになり、変色は生じない。すなわち、最大値の色の信号が上限値以上に増大しないように乗数（ｍ）を決定し、この乗数によって最大値以外の色も乗算を行なうので、最大値以外の色も最大値の色が上限に達した後も増大することがなくなり変色しなくなる。
【００３５】
図２は図１の回路において変色が生じない理由を模式的に示すものである。同図（ａ）に示すように、例えば赤信号入力が徐々に増大し、所定の最大レベルに到達すると、赤信号出力は乗算器１６１の働きによって所定の上限値に抑えられ、以後赤信号入力のレベルがさらに増大しても出力は増大しない。
【００３６】
この時、同図（ｂ）に示すように、他の色、すなわち緑および青、の信号入力にも赤信号入力と同じ乗数（ｍ）が乗算されるから、緑および青色の信号出力も、赤信号入力が所定の最大値に到達した後は、その増大が抑えられる。したがって、赤色、緑色および青色の信号出力の比率は変動せず、変色を生じない。
【００３７】
上記説明では、ルックアップテーブル１４０は、オーバフローを防止するために設定された乗数を記憶しているものとして説明した。しかしながら、ルックアップテーブル１４０は、色信号入力に対して乗数値を記憶しているものであるから、例えば、色信号入力が上限値以内の場合に、乗数値を設定することによって、色信号入力と色信号出力との間にガンマ特性やニー特性を持たせることができる。
【００３８】
例えば、図３（ａ）に示すように、色信号の上限値以内で、色信号入力に対して色信号出力が非線形に変化するようにルックアップテーブル１４０の乗数値を設定することができる。この場合、最大値の色、例えば赤色、に対して定められた乗数を最大値以外の色にも乗算するから、同図（ｂ）に示すように、最大値以外の色も最大値の色と同じ変化をする。したがって、色信号出力の比率がずれることがなくなり、変色は生じない。
【００３９】
なお、これに対して、図７に示される従来のオーバフロー処理回路では、各色毎にルックアップテーブル７３１，７３３および７３５を設けている。このような場合は、各色毎に乗算する乗数値が異なったものとなり、色信号出力の比率が変化し、変色を生じる恐れがあった。
【００４０】
なお、図１に示すオーバフロー処理回路では、３原色の色信号入力の内、最大値を出している色は、その最大値の出力の値に乗数を乗算するので出力信号は正確な乗算結果が得られる。これに対し、最大値を出している色以外の色で色信号の演算桁が少ないと乗数を乗算した場合に演算誤差が出て最小ビットで波打っている特性が出ることがある。図４はこのような状態を示し、同図（ａ）は赤信号入力が最大値を示している場合に赤信号出力は正確な上限値を出力することが可能なことを示している。これに対し、同図（ｂ）は、最大値を示している以外の色、この例では緑色および青色、の色信号入力に赤信号入力に対して定められた乗数を乗算した場合に、これらの色信号出力が波打っていることを示しており、色信号のレベルが低い場合などに視覚上で違和感を生じることがある。
【００４１】
図５は、このような表示画面上の違和感をなくすことができる、本発明の別の実施形態に係るオーバフロー処理回路の概略の構成を示す。
【００４２】
図５に示されるオーバフロー処理回路は、比較部５２０、選択部５３０、各色毎に設けられたルックアップテーブル（ＬＵＴ）５４１，５４３，５４５、各色毎に設けられた遅延部５５１，５５３，５５５、各色毎に設けられた混合部５６１，５６３，５６５、そして各色毎に設けられた乗算器５７１，５７３，５７５などを備えている。
【００４３】
比較部５２０は、３原色の色信号入力を受けてそれらの信号の大きさを比較し、どの色の信号が最大であるかを示す信号Ｃｍａｘを出力するものである。
【００４４】
選択部５３０は、比較部５２０から供給される信号Ｃｍａｘに基づき、３原色の各色のルックアップテーブル５４１，５４３，５４５の内、最大値の色を出している色に対応するルックアップテーブルからの乗数（ｍ）を選択するものである。各ルックアップテーブル５４１，５４３，５４５は、色信号のレベル値に対応して該色信号のレベルが所定の上限値を越えないように色信号のレベルを低減するために入力色信号に乗算すべき乗数を記憶するものである。したがって、各ルックアップテーブル５４１，５４３，５４５の出力はそれぞれの色の出力に乗算すべき乗数を表わしている。
【００４５】
遅延部５５１，５５３，５５５は、各色信号入力を所定時間遅延させて各ルックアップテーブル５４１，５４３，５４５における信号の遅れを補償するものである。
【００４６】
各色毎に設けられた混合部５６１，５６３，５６５は、選択部５３０から入力される最大値を示している色の乗数（ｍ）と各々の対応する色のルックアップテーブル５４１，５４３，５４５から出力される乗数とを合成して複合乗数を生成するものである。この乗数の合成は、例えば、各色のルックアップテーブルから入力される乗数と選択部５３０から入力される最大値を示している色の乗数（ｍ）を重み付けして加算する。例えば、各色のルックアップテーブルから入力される乗数と選択部５３０から入力される乗数とを、例えば、１対３の割合で加算して各色の複合乗数を生成する。
【００４７】
乗算器５７１，５７３，５７５は、各色の混合部５６１，５６３，５６５から入力された複合乗数と遅延部５５１，５５３，５５５を介して入力された各色の色信号入力とを乗算してオーバフロー処理された色信号出力を生成するものである。
【００４８】
したがって、図５のオーバフロー処理回路においては、比較部５２０において、入力された３原色の色信号の内最大値を有するものが判定され、最大値の色を示す信号Ｃｍａｘが出力され選択部５３０に供給される。選択部５３０は各色のルックアップテーブル５４１，５４３，５４５から入力される乗数の内、最大値を示している色の乗数（ｍ）を選択出力する。
【００４９】
各色の混合部５６１は、選択部５３０から入力された最大値の色に対応する乗数（ｍ）と各色のルックアップテーブルから出力される各色の乗数とを重み付けして加算し複合乗数を生成する。各乗算器５７１，５７３，５７５が、この複合乗数に基づきそれぞれの色の色信号入力に複合乗数を乗算しオーバフロー処理された色信号出力を提供する。
【００５０】
したがって、各色の混合部５６１，５６３，５６５においては、最大値の色に基づき求められた乗数（ｍ）と、他の色の最小値でも前記誤差を吸収する割合で混合する。これにより図６に示すように、入力レベルが大きくなるに応じて、図６（ａ）のように最大値の色が上限値に到達した後も、図６（ｂ）に示すように他の色の出力が徐々に増大するようになる。すなわち、出力色信号は徐々に増大するが波打つことがなくなり、視覚上の違和感をなくすことができる。
【００５１】
なお、図５の構成においては、比較部５２０は色信号入力の大きさを比較して最大値の色を判定しているが、これは、例えば、ルックアップテーブル５４１，５４３，５４５の出力乗数が最小値のものを求めることによって判定することもできる。
【産業上の利用可能性】
【００５２】
本発明は、画像表示装置、電子内視鏡装置の信号処理ユニット、その他のような各色信号の処理を必要とする装置などに適用可能である。
【図面の簡単な説明】
【００５３】
【図１】本発明の一実施形態に係わるオーバフロー処理回路の構成を示すブロック図である。
【図２】図１のオーバフロー処理回路における各色の入出力信号の変化例を示すグラフである。
【図３】本発明の別の構成に係わるオーバフロー処理回路の入出力信号の変化例を示すグラフである。
【図４】本発明に係わるオーバフロー処理回路における出力の波打ち現象を示すグラフである。
【図５】本発明の別の実施形態に係わるオーバフロー処理回路の構成を示すブロック図である。
【図６】図５のオーバフロー処理回路の入出力信号の変化の様子を説明するグラフである。
【図７】従来のオーバフロー処理回路の概略の構成を示すブロック図である。
【図８】図８のオーバフロー処理回路の入出力信号の変化例を説明するためのグラフである。
【図９】他の従来例のオーバフロー処理回路による入出力信号の変化例を説明するためのグラフである。
【符号の説明】
【００５４】
１２０，５２０  比較部
１３０，５３０  選択部
１４０，５４１，５４３，５４５  ルックアップテーブル
１５１，１５３，１５５，５５１，５５３，５５５  遅延部
１６１，１６３，１６５，５７１，５７３，５７５  乗算器
５６１，５６３，５６５  混合部
【図１】
2007019969.tif 000003
【図２】
2007019969.tif 000004
【図３】
2007019969.tif 000005
【図４】
2007019969.tif 000006
【図５】
2007019969.tif 000007
【図６】
2007019969.tif 000008
【図７】
2007019969.tif 000009
【図８】
2007019969.tif 000010
【図９】
2007019969.tif 000011